(57)【要約】      （修正有）【課題】椅子等に腰掛けた状態で使用しても冷気の侵入を防ぐことができるひざ掛けを提供する。【解決手段】平面視略矩形の可撓性を有する本体部１１に、この本体部と連結された、本体部の長さより短い平面視略矩形の可撓性を有する翼部１２を設けた。これにより、椅子等に腰掛けた状態で使用しても翼部が下肢の周囲を覆うので、冷気の侵入を防ぐことができる。【選択図】図１
0003191089.tif 000002
【実用新案登録請求の範囲】
【請求項１】
平面視略矩形の可撓性を有する本体部と、
この本体部と連結された、前記本体部の長さより短い平面視略矩形の可撓性を有する翼部と
を備えたひざ掛け。
【請求項２】
請求項１に記載されたひざ掛けにおいて、
前記本体部を構成する可撓性を有する第１の部材と、
この第１の部材に固定され、前記第１の部材より短く前記第１の部材よりも幅が広い平面視長方形の可撓性を有する第２の部材と、
前記第１の部材と前記第２の部材とが重複する部分に形成されたポケットと
を備え、
前記第２の部材の端部は、前記翼部を構成する
ことを特徴とするひざ掛け。
【請求項３】
請求項１または２に記載されたひざ掛けにおいて、
前記翼部の一端部を前記本体部または前記翼部に固定する固定具と、
前記翼部の少なくとも一部に前記翼部の幅方向に設けられた弾性部材と
をさらに備えることを特徴とするひざ掛け。
【考案の詳細な説明】
【技術分野】
【０００１】
本考案は、ひざ掛けに関し、特に椅子等に腰掛けた状態で使用する際に好適なひざ掛けに関する。
【背景技術】
【０００２】
一般に、ひざ掛けは、平面視長方形の防寒用布製品である。
【０００３】
しかし、従来のひざ掛けを椅子等に腰掛けた状態で使用した場合、その形状から、下腿の側方や後方を覆うことができず、冷気の侵入を防ぐことができない。
特に、車いすを使用する身障者にとっては、健常者のように脚を動かしたり体位を変えたりすることが困難なために、ひざ掛けによって十分な防寒性能や快適性を得ることが難しかった。
【考案の概要】
【考案が解決しようとする課題】
【０００４】
そこで、本考案は、椅子等に腰掛けた状態で使用しても冷気の侵入を防ぐことができるひざ掛けを提供することを目的とする。
【課題を解決するための手段】
【０００５】
上記の目的を達成するために、本考案に係るひざ掛けは、平面視略矩形の可撓性を有する本体部と、この本体部と連結された、前記本体部の長さより短い平面視略矩形の可撓性を有する翼部とを備える。
【０００６】
本考案に係るひざ掛けは、前記本体部を構成する可撓性を有する第１の部材と、この第１の部材に固定され、前記第１の部材より短く前記第１の部材よりも幅が広い平面視長方形の可撓性を有する第２の部材と、前記第１の部材と前記第２の部材とが重複する部分に形成されたポケットとを備え、前記第２の部材の端部が前記翼部を構成するようにしてもよい。
【０００７】
また、前記翼部の一端部を前記本体部または前記翼部に固定する固定具と、前記翼部の少なくとも一部に前記翼部の幅方向に設けられた弾性部材とをさらに備えるようにしてもよい。
【考案の効果】
【０００８】
本考案によれば、椅子等に腰掛けた状態で使用しても、翼部が下肢の周囲を覆うので、冷気の侵入を防ぐことができる。
【図面の簡単な説明】
【０００９】
【図１】本考案の第１の実施の形態に係るひざ掛けの構成を説明するための図である。
【図２】第１の実施の形態に係るひざ掛けの構成を説明するための図である。
【図３】第１の実施の形態に係るひざ掛けの使用状態を説明するための図である。
【図４】第１の実施の形態に係るひざ掛けの使用状態を説明するための図である。
【図５】本考案の第２の実施の形態に係るひざ掛けの構成を説明するための図である。
【図６】第２の実施の形態に係るひざ掛けの使用状態を説明するための図である。
【考案を実施するための形態】
【００１０】
以下に図面を参照しながら、本考案の実施の形態について説明する。
【００１１】
［第１の実施の形態］
図１は、本考案の第１の実施の形態に係るひざ掛けを表側から見た図、図２にこのひざ掛けを裏側から見た図を示す。
本実施の形態に係るひざ掛けは、平面視略矩形の本体部１１と、この本体部１１と連結された、本体部１１の長さより短い平面視略矩形の翼部１２Ｒ、１２Ｌと、この翼部１２Ｌの一端部に設けられたループ１３と、もう一方の翼部１２Ｒに取り付けられたボタン１４とを供えている。
【００１２】
本実施の形態においては、本体部１１となる平面視長方形の第１の毛布に、本体部１１の長さより短い長さとこの本体部１１の幅よりも広い幅を有する平面視長方形の第２の毛布１２が縫い糸１５によって縫いつけられている。翼部１２Ｒ、１２Ｌは、縦長の本体部１１の両側に張り出した第２の毛布１２の両端部である。
本体部１１および翼部１２Ｒ、１２Ｌは、いずれも毛布等の布である。本体部１１は、例えば幅７０ｃｍ程度、長さ１００〜１５０ｃｍ程度の大きさとし、２つの翼部１２Ｒ、１２Ｌはそれぞれ幅７０ｃｍ程度、長さ５０ｃｍ程度とすることができる。これらの寸法はあくまでも例示であって、使用者の体格や使用する椅子の大きさに合わせて適宜選択することもできる。
【００１３】
また、第１の毛布（本体部１１）と第２の毛布１２が重なって形成される平面視矩形の重複部分は、上辺部を残して縫い糸１５によって略「コ」の字状に互いに縫いつけられ、この重複部分にポケットが形成されている。
【００１４】
翼部１２Ｌの一端部に設けられたループ１３と、もう一方の翼部１２Ｒに取り付けられたボタンとは、翼部１２Ｌの一端部にをもう一方の翼部１２Ｒに固定する固定具である。
【００１５】
本実施の形態に係るひざ掛けの使用状態の一例を図３、図４に示す。
このひざ掛けを使用する者は、例えば、車いす等に座った状態で本体部１１の上半分で太もも部分を覆い、下半分で膝から下の前面（すね側）を覆う。本体部１１の下半分の両側から延びる翼部１２Ｒ、１２Ｌを膝から下の後側（ふくらはぎ側）に回し、ループ１３をボタン１４に掛けて両者を固定する。
【００１６】
その結果、椅子等に使用者が座った状態で、使用者の下肢、特に膝から下の部分は、本体部１１の下半分と翼部１２Ｒ、１２Ｌとによって囲まれることとになるので、後側や側方からの寒気の侵入を防ぐことができる。
【００１７】
また、使用者の下肢の前面には、第１の毛布（本体部１１）と第２の毛布１２とが重複する部分が位置することになり、この部分に形成されたポケットにさらに毛布やカイロ等の熱源を入れることによって、膝から下の防寒もできる。
【００１８】
また、本体部１１の長さを長めにし、使用時において上半分を折り畳めば、膝から上の部分の防寒もできるようになる。
【００１９】
［第２の実施の形態］
次に、本考案の第２の実施の形態に係るひざ掛けを図５および図６を参照して説明する。なお、上述した第１の実施の形態に係るひざ掛けと共通する構成要素については、同一の符号を用いて表すこととし、その詳細な説明は省略する。
【００２０】
図５は、本実施の形態に係るひざ掛けを表側から見た図である。
本実施の形態に係るひざ掛けは、本体部１１となる平面視長方形の第１の毛布に、本体部１１の長さより短い長さとこの本体部１１の幅よりも広い幅を有する平面視長方形の第２の毛布２２が縫い糸１５によって縫いつけられている。したがって、第１の毛布（本体部１１）と第２の毛布２２が重なって形成される平面視矩形の重複部分には、ポケットが形成されている。
【００２１】
図５に示すように、縦長の本体部１１の両側に張り出した第２の毛布２２の両端部が、翼部２２Ｒ、２２Ｌとなる。これら翼部２２Ｒ、２２Ｌは、それぞれ平面視略矩形に形成されるが、その上縁部にはひも状または帯状の弾性部材２６Ｒ、２６Ｌがそれぞれ設けられ、いわゆるギャザーが寄せられている。弾性部材２６Ｒ、２６Ｌとしては、ゴム紐を用いればよい。
また、これら翼部２２Ｒ、２２Ｌの一端部を固定する固定具として、翼部２２Ｒ、２２Ｌの上縁端部にそれぞれ設けられたループ２３Ｒ、２３Ｌと、本体部１１の翼部２２Ｒ、２２Ｌとの連結部分近傍に取り付けられたボタン２４Ｒ、２４Ｌを備えている。
【００２２】
図６に本実施の形態に係るひざ掛けの使用状態を示す。
２つの翼部２２Ｒ、２２Ｌで使用者の脚部の後側を覆い、それぞれの上縁端部に設けられたループ２３Ｒ、２３Ｌを本体部１１に取り付けられたボタン２４Ｌ、２４Ｒに掛けることによって、本体部１１、翼部２２Ｒ、２２Ｌで脚の周囲を囲むことができる。
本実施の形態においては、翼部２２Ｒ、２２Ｌの上縁部にゴム紐等の弾性部材２６Ｒ、２６Ｌがそれぞれ幅方向に設けられているので、固定具（ループ２３Ｒ、２３Ｌとボタン２４Ｌ、２４Ｒ）によって固定された翼部２２Ｒ、２２Ｌの上縁部に適度な張力が働き、翼部２２Ｒ、２２Ｌによって脚の後側を覆った状態を安定的に保つことができる。また、防寒効果も高めることができる。
【００２３】
なお、上述した実施の形態においては、本体部および翼部が毛布からなるものとして説明したが、これらの材料は可撓性を有していれば、毛布以外の材料を用いてもよいことは言うまでもない。
また、翼部の端部を固定する固定具として、ループとボタンを用いた形態を例に説明したが、固定具としてはループとボタンに代えてクリップやピンで留めるようにしてもよい。
【符号の説明】
【００２４】
１１…本体部、１２Ｒ、１２Ｌ…翼部、１３…ループ、１４…ボタン、１５…縫い糸、２６…弾性部材。
【図１】
0003191089.tif 000003
【図２】
0003191089.tif 000004
【図３】
0003191089.tif 000005
【図４】
0003191089.tif 000006
【図５】
0003191089.tif 000007
【図６】
0003191089.tif 000008